(57)【要約】【課題】本発明は、光源装置、特にプロジェクタに用いる光源装置に関するものであり、バーナーの破損の衝撃によるリフレクタの破損があっても、その破片が外部に飛散することを防止すると共に、バーナーから放出される熱を効率的に外部に放出することを目的とする。また、リフレクタの過熱を効率的に冷却することを目的とするものである。【解決手段】本発明は、請求項１に記載するように、放電ランプと、この放電ランプの周囲を囲み、一定方向に光を反射する反射鏡と、この反射鏡で囲まれた空間を密閉空間とするように光放出開口を塞ぐように設けられた透明な保護板と、この密閉空間内に設けられた放熱フィンとを有することを特徴とする光源装置である。【選択図】    図１
2005251711.tif 000002
【特許請求の範囲】
【請求項１】
放電ランプと、この放電ランプの周囲を囲み、一定方向に光を反射する反射鏡と、この反射鏡で囲まれた空間を密閉空間とするように光放出開口を塞ぐように設けられた透明な保護板と、この密閉空間内に設けられた放熱フィンとを有することを特徴とする光源装置。
【請求項２】
前記放熱フィンは、光軸側及び外側に放射状に設けられた複数のフィンにより構成されていることを特徴とする請求項１項記載の光源装置。
【請求項３】
前記放熱フィンは、収束光を遮らない位置に、光軸側に放射状に設けられた複数のフィンにより構成されていることを特徴とする請求項１項記載の光源装置。
【請求項４】
前記放熱フィンは、収束光を遮らない位置に、光軸と垂直に設けられた複数のフィンにより構成されていることを特徴とする請求項１項記載の光源装置。
【発明の詳細な説明】
【技術分野】
【０００１】本発明は、光源装置、特にプロジェクタに用いる光源装置に関するものである。
【背景技術】
【０００２】通常、高圧水銀灯からなる放電ランプが破損した場合、その破片がガラス材からなる反射鏡を直撃し、この反射鏡に強い衝撃が加わり、反射鏡が破損し飛散することがある。
この問題を解決するためには、反射鏡の母材として、衝撃に対して高強度な結晶化ガラスを用いることが考えられるが、このような高強度な結晶化ガラスは高価でありコスト増を招く。
また、反射鏡を厚く構成することも考えられるが、高厚膜の反射鏡を成型するには長時間を要し、やはりコスト増となる。
更に、熱歪に弱く、割れやすくなってしまう。【０００３】特に、リアプロジェクションテレビは、プロジェクタをテレビとして用いるものであり、通常のプロジェクタに比べ使用時間が長く、熱の問題やランプの破壊に対する更なる対策が望まれる。【０００４】
【特許文献１】特開２００２−３１３１１９号
【発明の開示】
【発明が解決しようとする課題】
【０００５】上記の技術文献では、反射鏡の側壁に放熱フィンを配置することが示されている。
しかしながら、このような構造でも、リアプロジェクションテレビの光源として使用した場合、十分な放熱効果が得られない。
本発明では、熱を効率良く放出すると共に、反射鏡が破損しても外部に飛散しない光源の保護構造を提供するものである。
【課題を解決するための手段】
【０００６】上記課題を解決するため、本発明は、請求項１に記載するように、放電ランプと、この放電ランプの周囲を囲み、一定方向に光を反射する反射鏡と、この反射鏡で囲まれた空間を密閉空間とするように光放出開口を塞ぐように設けられた透明な保護板と、この密閉空間内に設けられた放熱フィンとを有することを特徴とする。
また、請求項２に記載するように、前記放熱フィンは、光軸側及び外側に放射状に設けられた複数のフィンにより構成されていることを特徴としている。
更に、前記放熱フィンは、収束光を遮らない位置に、光軸側に放射状に設けられた複数のフィンにより構成されていることを特徴としている。
【発明の効果】
【０００７】本発明によれば、ランプを密閉構造とすることにより、ランプが破壊しても、その破片が外部に飛散することが無くなると共に、密閉構造とすることで、ランプの熱が篭るという問題も、放熱フィンを設けることで解決される。
特に、光軸方向に放射上に複数の放熱フィンを設けることで、密閉空間内の熱を十分に取り込み、外部に放出することが可能となる。
【発明を実施するための最良の形態】
【０００８】以下、本発明を実施するための最良の形態について、プロジェクタを例にして図面を参照して詳細に説明する。
【実施例】
【０００９】以下、図に沿って本発明の一実施例を説明する。図１は本発明の一実施例を示す断面図であり、光源１の構成部品の位置関係を示している。
図２は、図１は本発明の一実施例を示す正面図であり、放射状に設けられた複数の放熱片からなる放熱フィンが示されている。
これらの図において、２は高圧水銀などが充填され、放電により光を放出する放電ランプ（以下バーナーと言う。）、３はバーナー２から放出された光線を集光して２次光源を作る集光ミラーとしてのリフレクタ（反射鏡）である。更に４は放熱フィン、５は光放出開口を覆う透明な保護材、６はリフレクタ３の側壁から導出される電極である。
保護材５によって、放電ランプ２の周囲は密閉空間となり、放電ランプ２の寿命が来て、破損した場合であっても、その破片が外部に飛散することが防止される。
尚、放熱フィン４は、この密閉空間内の光軸方向に放射上に複数設けられたフィン片と、外部方向に放射上に複数設けられたフィン片で構成されている。【００１０】リフレクタ３は、バーナー２から放出される光の中に含まれる赤外線成分を透過し、白色光成分を反射するものであり、安価なボロンシリコン系ガラスを母材とし、内側に図示しない光反射膜がコーティングされている。尚、本発明は母材の材質には限定されず、他のガラス材を用いてもよい。【００１１】放熱フィンの４一部は、バーナー２から放出される熱を、効率よく吸収するため、密閉空間内に設けられているが、放電ランプ２のリフレクタ３から反射される収束光７を遮らない位置まで延びるように構成されている。
この密閉空間内に設けられたフィンは、効率よく熱を吸収すると共に、密閉空間内の空気の自然な流れを発生させ、光源の安定した動作の要因となる。【００１２】放熱フィン４の外部に延びている複数のフィン片は、放熱面積を大きくして放熱量を増やすものであり、図示しないファンによって冷却される。【００１３】尚、先行技術文献に示されているような、反射鏡側面にフィンを設けることも考えられるが、材料費や加工費が増大し、製造コストが多大となるため採用していない。【００１４】尚、本実施例では、放熱フィン４は銅を用いて製造されているが、材料はこれに限定されるものではない。【００１５】図３に第２の実施例の光源１の断面図を示す。
この実施例では、放熱フィン４は、実施例１で示した放熱フィン片より大きな面積となるように、端部を収束光の形状に対応させた形状を成している。
光束は焦点に収束するが、このときの角度が６０度以内の光が投影画像に寄与するものであり、６０度以上の角度で焦点に向う光は投影画像の形成に寄与しないものであるため、この６０度以内の光を遮らない位置まで放熱フィンが設けられている。【００１６】また、図４に示すように、放熱フィンを光軸に垂直に光軸を囲むように設けてもよい。
この場合は、光源装置の側面からファンにて冷却する場合、フィンが風邪の向きに平行であるため、抵抗とならず、効率的に熱を排気することが可能となる。【００１７】本発明は、上述の実施例に限定されるものではなく、特に、放熱フィンの材質や形状、放熱フィン片の個数は限定されない。
例えば、密閉空間内では放熱フィンを光軸に水平に複数設け、外側では光軸に垂直に設けても良い。
【産業上の利用可能性】
【００１８】本発明は、プロジェクション動作を長時間継続して行うことが可能であり、リアプロジェクションテレビなどに用いることが可能である。
【図面の簡単な説明】
【００１９】
【図１】図１は、本発明の実施例の形態に係る主要な構成を示す断面図である。
【図２】図２は、本発明の実施例の形態に係る正面図である。
【図３】図３は、第２の実施例を示す側面図である。
【図４】図４は、第３の実施例を示す側面図である。
【符号の説明】
【００２０】１：光源
２：放電ランプ
３：リフレクタ
４：放熱フィン
５：保護材
【図１】
2005251711.tif 000003
【図２】
2005251711.tif 000004
【図３】
2005251711.tif 000005
【図４】
2005251711.tif 000006